(57)【特許請求の範囲】
【請求項１】
側端面から光源の光が内部に導入される導光材を有し、導光材の裏面に部分的に導光材内の光源の光を拡散させる拡散透過部を沿設し、拡散透過部の通過光を導光材の前方に向けて反射させる反射部を拡散透過部に覆設し、導光材の前面側に木目柄模様を付した透明板よりなる光透過部を配置すると共に、導光材の裏面側に非白色系統のベース色の反射板を配置したことを特徴とするエッジライト式照明装置。
【発明の詳細な説明】
【技術分野】
【０００１】
本発明は、エッジライト式照明装置に関するものである。
【背景技術】
【０００２】
従来から、図３や図４のように、側端面より光源３の光が内部に導入される導光材２の裏方に反射部８を設け、反射部８で導光材２内の光源３の光を表側に反射させて、導光材２から前方に光を照射可能にするエッジライト式照明器具１が知られている（たとえば特許文献１参照）。
【０００３】
このようなエッジライト式照明器具１では、照射光の明るさを確保するために導光材２内の光源３の光を漏れなく効率良く前方へ照射させることが求められ、また、エッジライト式照明器具１を見る角度の違いによる輝度ムラを無くするために照射光に指光性を無くすることが求められており、たとえば図４（ａ）や図４（ｂ）のような試みが為されている。
【０００４】
図４（ａ）では導光材２の裏面に拡散透過部７を設けて導光材２内の光源３の光を拡散させて指光性を無くしている。しかしながら、拡散透過部７を通過した拡散光の一部は、拡散透過部７の裏方に配設した反射部８に至らずに、光源３の全光量を前方に照射できないといった効率の悪さが指摘されている。
【０００５】
また、図４（ｂ）では導光材２の裏面に反射部８を沿設して導光材２内の光源３の全光量を漏れなく前方に照射させている。しかしながら、実際に導光材２内の光源３の光が反射する導光材２の裏面（反射部８が沿う部分）は平面状であって、導光材２内の光源３の光は拡散されずにその照射光は指光性の強い光となってしまうのであった。
【特許文献１】特開２００１−１５５５２６号公報
【発明の開示】
【発明が解決しようとする課題】
【０００６】
本発明は上記の点に鑑みてなされたものであり、その目的とするところは、導光材内に導入された光源の光を、拡散性の高い指光性の無い光として効率良く前方に照射することができるエッジライト式照明装置を提供することにある。
【課題を解決するための手段】
【０００７】
上記課題を解決するために請求項１に係る発明にあっては下記構成を有する。すなわち、側端面から光源３の光が内部に導入される導光材２を有する。導光材２の裏面に部分的に導光材２内の光源３の光を拡散させる拡散透過部７を沿設する。拡散透過部７の通過光を導光材２の前方に向けて反射させる反射部８を拡散透過部７に覆設し、導光材２の前面側に木目柄模様５ａを付した透明板よりなる光透過部５を配置すると共に、導光材２の裏面側に非白色系統のベース色の反射板６を配置する。
【０００８】
これによると、導光材２の内部に導入された光源３の光は拡散透過部７で拡散されると共に漏らさず拡散透過部７を覆う反射部８で前方に反射されることとなり、つまり、導光材２内に導入された光源３の光を、拡散性の高い指光性の無い光として、効率良く前方に照射することができる。また、光源３が消灯した際にはエッジライト式照明装置１内に取り込まれた外光が反射板６にて反射され、背景となる茶系統のベース色６ａに木目柄模様５ａが重なるといった木目調外観が現出される。一方、光源３を点灯した際には導光材２の前面から光源３の光がロス無く前方へ照射され、照明付建築用パネル材１ａを設置した壁面等の建物箇所が光るような照明装置として機能する。また、木目調外観は、反射板６で反射されたベース色６ａの外光が木目柄模様５ａを裏側から照らし出して現出したものであり、あたかもバックライトで表示物が外観に浮き出されるような自己発光性を備えることができたのであって、比較的明るく目立つように現出されるのである。更に言うと、上記木目調外観を構成する反射板６のベース色６ａと木目柄模様５ａとは導光材２の厚みの分だけ表裏方向にずれているため、深みのある三次元的な外観となるのであって、凹凸のある無垢木材の質感を醸し出すような高い意匠性を備えることができる。更に、導光材２の裏面に反射部８を備えた導光パターン４を付して反射板６に光源３の光を反射させる機能を無くしたことで、木材の下地色となる茶系統といった非白色系統のベース色６ａを備えた反射板６を用いることができたのである。つまり、光源３の消灯時の外観に現出される反射部８のデザイン性の自由度を向上できたものであり、上記のような木目調外観を可能にできたのである。
【発明の効果】
【０００９】
本発明にあっては、導光材内に導入された光源の光を、拡散性の高い指光性の無い光として効率良く前方に照射することができる。
また、光源が消灯した際にはエッジライト式照明装置内に取り込まれた外光が反射板にて反射され、背景となる茶系統のベース色に木目柄模様が重なるといった木目調外観が現出される。一方、光源を点灯した際には導光材の前面から光源の光がロス無く前方へ照射され、照明付建築用パネル材を設置した壁面等の建物箇所が光るような照明装置として機能する。また、木目調外観は、あたかもバックライトで表示物が外観に浮き出されるような自己発光性を備えることができ、比較的明るく目立つように現出される。更に、また、無垢木材の質感を醸し出すような高い意匠性を備えることができる。更に、光源の消灯時の外観に現出される反射部のデザイン性の自由度を向上できたものであり、上記のような木目調外観を可能にできる。
【発明を実施するための最良の形態】
【００１０】
以下、本発明を添付図面に示す実施形態に基いて説明する。
【００１１】
本例のエッジライト式照明装置１は、図１（ａ）のように、側端面から光源３の光が内部に導入される導光材２を有した板状の照明装置であり、該導光材２内の光源３の光は、導光材２の裏面に設けた導光パターン４に応じた配光パターンによって導光材２の全前面を均一に光らせる等して、導光材２の前方に照射されるようになっている。
【００１２】
ここで、光源３は直管型蛍光灯や多数のＬＥＤを列状に配置して成る線光源で構成することができる。また、導光材２としては無色透明なアクリル板を好適に用いることができる。また、図中５、６はエッジライト式照明装置１の用途の必要に応じて設けられる光透過部、反射板である。
【００１３】
本例の導光パターン４は導光材２の裏面に印刷することで形成されており、光を拡散して透過させる拡散透過型インク７ａと、光を反射させる光反射型インク８ａとが用いられる。具体的に、導光材２の裏面に対して、まず拡散透過型インク７ａを付着させ、次にこの拡散透過型インク７ａを覆うように光反射型インク８ａを付着させる。なお、拡散透過型インク７ａや拡散透過型インク７ａは導光パターン４を形成することから導光材２の裏面に部分的に設けられる。
【００１４】
上記導光パターン４を有したエッジライト式照明装置１の縦断面は図１（ｂ）のようなものであるが、この図から分かるように、導光材２の裏面に部分的に拡散透過型インク７ａで成る拡散透過部７が沿設され、拡散透過部７を覆うように光反射型インク８ａで成る反射部８が設けられている。
【００１５】
上記構成を有する本例のエッジライト式照明装置１では、導光材２の内部に導入された光源３の光は拡散透過部７で拡散されると共に漏らさず拡散透過部７を覆う反射部８で前方に反射されることとなり、つまり、導光材２内に導入された光源３の光を、拡散性の高い指光性の無い光として効率良く前方に照射することができたのである。したがって、本例のエッジライト式照明器具１では、導光材２から前方に照射される光源３の光量が大きくて明るい状態にできると共に、エッジライト式照明器具１を見る角度の違いによる輝度ムラをも無くすることができたのである。
【００１６】
なお、詳しくは、拡散透過部７を通過した導光材２内の光源３の光は、拡散透過部７における反射部８との境界面９（すなわち拡散透過部７の外面）で反射されるのであるが、表面張力から水滴状に固形する拡散透過型インク７ａで構成された拡散透過部７の外面は曲面状（非平面状）になっており、該光を乱反射させることができるから、この点でも光の拡散性を高めて指光性を無くすることが図られている。
【００１７】
ところで、上記本例のエッジライト式照明装置１は、たとえば照明付建築用パネル材１ａ、非常口誘導灯等の発光表示板として好適に用いることができる。
【００１８】
本例のエッジライト式照明装置１を、図２（ａ）のように照明付建築用パネル材１ａとして用いる場合には、たとえば光透過部５を木目柄模様５ａを付した透明板で構成し、反射板６に木材の下地色となる非白色系統（具体的には茶系統）のベース色６ａを備えることで、構成することができる。ここで、この反射板６は、光源３がＯＦＦの状態で発光していない際に、図２（ｂ）のように、装置１内に表側から光透過部５の透明部分５ｂを通じて取り込まれた外光を前方へ反射させる機能のみを有する。
【００１９】
この照明付建築用パネル材１ａは壁面材や天井面材として利用できる木目調パネルとなっており、詳しくは、光源３が消灯した際にはエッジライト式照明装置１内に取り込まれた外光が反射板６にて反射され、背景となる茶系統のベース色６ａに木目柄模様５ａが重なるといった木目調外観が現出される。一方、光源３を点灯した際には導光材２の前面から光源３の光がロス無く前方へ照射され、照明付建築用パネル材１ａを設置した壁面等の建物箇所が光るような照明装置として機能するようになっている。
【００２０】
ここで、上記木目調外観は、反射板６で反射されたベース色６ａの外光が木目柄模様５ａを裏側から照らし出して現出したものであり、あたかもバックライトで表示物が外観に浮き出されるような自己発光性を備えることができたのであって、比較的明るく目立つように現出されるのである。更に言うと、上記木目調外観を構成する反射板６のベース色６ａと木目柄模様５ａとは導光材２の厚みの分だけ表裏方向にずれているため、深みのある三次元的な外観となるのであって、凹凸のある無垢木材の質感を醸し出すような高い意匠性を備えることができる。
【００２１】
そもそも、エッジライト式照明装置１は、元来図４（ａ）のように、上記反射板６に光源３の光も反射させる機能も発揮させてすなわち反射部８を構成させている。このような反射部８を構成する反射板６としては光を反射させ易い白色系統のベース色６ａを付したものを用いる必要がある。しかしながら、上記本例のエッジライト式照明装置１では、導光材２の裏面に反射部８を備えた導光パターン４を付して反射板６に光源３の光を反射させる機能を無くしたことで、木材の下地色となる茶系統といった非白色系統のベース色６ａを備えた反射板６を用いることができたのである。つまり、光源３の消灯時の外観に現出される反射部８のデザイン性の自由度を向上できたものであり、上記のような木目調外観を可能にできたのである。
【００２２】
また、本例のエッジライト式照明装置１を非常口誘導灯等の表示板として用いる場合には、たとえば非常口を指す矢印などの誘導標識を付した透明板で光透過部５を構成することができる。何らかの理由で光源３が消灯した場合にも、自己発光性によって誘導標識をベース色６ａから浮き上がるようにして比較的目立つように外観に現出できるから、誘導灯としての機能を確保できて好ましい。
【図面の簡単な説明】
【００２３】
【図１】本発明の実施の形態の例のエッジライト式照明装置であり、（ａ）は分解側面図であり、（ｂ）は要部の拡大断面図である。
【図２】同上のエッジライト式照明装置を照明付建築用パネル材として用いた例であり、（ａ）は分解斜視図であり、（ｂ）は光源消灯時の状態を説明する断面図である。
【図３】従来技術の例のエッジライト式照明装置の正面図である。
【図４】（ａ）（ｂ）は従来技術の他例のエッジライト式照明装置の要部の断面図である。
【符号の説明】
【００２４】
１  エッジライト式照明装置
２  導光材
３  光源
４  導光パターン
５  光透過部
６  反射板
７  拡散透過部
７ａ  拡散透過型インク
８  反射部
８ａ  光反射型インク
９  境界面
【図１】
0004944817.tif 000002
【図３】
0004944817.tif 000003
【図４】
0004944817.tif 000004
【図２】
0004944817.tif 000005